(57)【要約】      （修正有）【課題】断裂しにくい野球バットを提供する。【解決手段】本考案のバットは、グリップ、打撃部、及び、グリップと打撃部の間の中間部と、からなる。中間部とグリップ内に、容置空間を設け、強化リブが、容置空間中に収容されて、バットの中間部とグリップの強度を強化し、バットの断裂を防止する。【選択図】図２
0003115407.tif 000002
【実用新案登録請求の範囲】
【請求項１】
断裂しにくい野球バットの構造であって、グリップ、打撃部、及び、グリップと打撃部の間の中間部と、からなり、前記中間部と前記グリップ内に、容置空間を設け、強化リブが、前記容置空間中に収容されて、前記バットの前記中間部と前記グリップの強度を強化することを特徴とする野球バット。
【請求項２】
前記強化リブの材質は、硬質プラスチック、カーボンファイバー、或いは、ガラスファイバーであることを特徴とする請求項１に記載の野球バット。
【請求項３】
前記強化リブは、金属であることを特徴とする請求項１に記載の野球バット。
【請求項４】
前記強化リブは、アルミ合金であることを特徴とする請求項３に記載の野球バット。
【請求項５】
前記強化リブの一端は、バット底端から１〜２インチのところから設置され、前記強化リブのもう一端は延伸して、バット底端から１６〜１８インチのところであることを特徴とする請求項１に記載の野球バット。
【考案の詳細な説明】
【技術分野】
【０００１】
本考案は、断裂しにくいバットに関するものであって、特に、バット内に強化リブを設け、バットが断裂するのを防止するバットに関するものである。
【背景技術】
【０００２】
品質のよいバットは、通常、上等の木材を切削加工して作られる。木材原料の価格が上昇するにつれて、バットの価格も上昇するが、劣等な木材を使用すれば、バットは容易に折れてしまう。  
【０００３】
バット２の断裂は、通常、バッターがバット２を振りかざす時、バット２が球体を打撃するその瞬間に、衝撃力を承受して生じる。バット２自身の長さにより、バット２が振動して、若干湾曲し（図３の点線で示される）、受力程度が、木製バット２の承受力を超過すると、グリップ１１に近接するところ、即ち、バットの最も細い部分が断裂する。バットを断裂させる要素は多種あり、バット自身の構造、材料の受力程度、或いは、打者自身のグリップの握持位置、バットと球体の接触受力点、球速とバットを振りかざす速度、及び、方向などである。  
【０００４】
受力点での力が大きく、各種不利な要素と重なると、バット２は断裂する。断裂の場所は、グリップ１１以外に、グリップ１１と打撃部１３間の中間部１４である。  
【０００５】
コスト面、品質面共に優秀なバットの改良構造は、図３で示されるように、例えば、バット２のグリップ１１、及び、中間部１４は、強化繊維１２で包覆し、打撃部１３が承受する力が、均等に分散されるようになっている。しかし、加工過程が長く、また、外部を包覆した物質も、長期による使用で摩損し、脱落する可能性がある。
【考案の開示】
【考案が解決しようとする課題】
【０００６】
本考案は、断裂しにくいバット構造を提供し、バット内に強化リブを設け、バットの受力強度を強化することを目的とする。
【課題を解決するための手段】
【０００７】
上述の目的を達成するため、本考案のバットは、グリップ、打撃部、及び、グリップと打撃部の間の中間部と、からなる。中間部とグリップ内に、容置空間を設け、強化リブが、容置空間中に収容されて、バットの中間部とグリップの強度を強化し、バットの断裂を防止する。
【考案の効果】
【０００８】
バットが断裂しにくいという長所が達成される。
【考案を実施するための最良の形態】
【０００９】
図１、及び、図２で示されるように、本考案のバット１の材質は、竹合成、竹木合成、或いは、木合成等の材質からなり、グリップ２０、打撃部４０、及び、グリップと打撃部の間の中間部３０と、からなる。中間部３０とグリップ２０内に、強化リブ４２を有し、バットの最も断裂しやすい部分を強化する。  
【００１０】
グリップ２０底端は、環状の突出部２１を有し、バッターがバットを振る時、バッターの手部は、突出部２１の抵接を受け、バット１は、バッターの手部から滑り落ちにくい。  
【００１１】
中間部３０とグリップ２０内に、容置空間４１を設け、強化リブ４２が、容置空間中に収容されて、バットの中間部３０とグリップ２０の強度を強化する。  
【００１２】
強化リブ４２の材質は、金属（アルミ合金）、或いは、非金属（硬質プラスチック、カーボンファイバー、ガラスファイバー等）である。材質は、実芯でも空芯でもよい。空芯である場合、空芯の中に、充填物を充填してもよい。  
【００１３】
様々な試合において、要求されるバットの長さは特殊な規定があり、例えば、台湾の野球連盟の規定では、３２インチを超過してはいけない。国際野球連盟（IBAF）の規定では、４２インチを超過してはならず、且つ、グリップ位置は、バット底端から１８インチを超過してはならない。規定中に明記されているように、グリップは、どのような材質でもよく、バッターが握りやすいものであればいい。故に、強化リブの設置は、国際野球連盟の球具規定に符合し、強化リブ４２の一端は、バット底端から１〜２インチ（長さB）で設置し、強化リブ４２のもう一端は延伸して、バット底端から１６〜１８インチ（長さA）で、国際野球連盟の球具規定に符合する。  
【００１４】
実施時、竹合成、竹木合成、或いは、木合成等の材質は、木片、或いは、竹片接合の生成過程において、強化リブを、木片、或いは、竹片の裏面に加圧挟合し、強化リブ４２を上述の材質中に結合する。強化リブは、その他の方式で、竹木中に結合してもよい。例えば、バット底面に孔を設置し、強化リブを孔二挿入して、その中に結合し、孔を密封する（図示しない）。  
【００１５】
本考案の長所は、以下のようである。  
【００１６】
１．バットが球体を打つ時に受ける巨大な力により、グリップ、或いは、中間部が湾曲する時、強化リブがグリップ、及び、中間部の強度を強化し、バット断裂の機会を減少させる。２．強化リブは、竹質、或いは、竹木合成の材質中に結合され、公知の休暇ファイバーのような、緩んだり、脱落したりする状況が生じない。  
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】本考案の実施例による素子の分解断面図である。
【図２】本考案の実施例による素子の組み合わせ断面図である。
【図３】公知のバットの前視図で、点線は、バットの受力後の湾曲状況を示した説明図である。
【図４】公知のバットの前視図で、強化繊維がバットのグリップと中間部間を包覆することを示した説明図である。
【符号の説明】
【００１９】
２…公知のバット１１…グリップ１１１２…強化繊維１３…打撃部１４…中間部１…本考案のバット２０…グリップ２１…突出部３０…中間部４０…打撃部４１…容置空間４２…強化リブA、B…強化リブ一端と底端の距離
【図１】
0003115407.tif 000003
【図２】
0003115407.tif 000004
【図３】
0003115407.tif 000005
【図４】
0003115407.tif 000006